(57)【特許請求の範囲】
【請求項１】
中芯を軸筒先端開口部から選択的に出没可能にした多芯筆記具において、選択した中芯を筆記状態に芯出しするための操作に連動して、前記中芯が、軸筒内に設けられた案内部材により軸筒の中心軸線の位置に案内されて、前記中心軸線と実質的に平行になる状態で芯出し状態となるようにしたことを特徴とする多芯筆記具。
【請求項２】
多芯筆記具が、ノック式で芯出し状態とするものであり、各中芯に対応して設けられたノック操作部を軸筒の先端方向にスライド操作することにより、該スライド操作されるノック操作部に対応する中芯が、前記スライド操作に連動して、軸筒内に設けられた案内部材により軸筒の中心軸線の位置に案内されて、前記中心軸線と実質的に平行になる状態で芯出し状態となるようにした請求項１記載の多芯筆記具。
【請求項３】
案内部材を各中芯に対応させて設けた請求項２記載の多芯筆記具。
【請求項４】
中芯を着脱可能に保持する中芯保持部材を設け、前記中芯保持部材が案内部材によって案内されることにより、中芯が軸筒の中心軸線の位置に案内されるようにした請求項１〜３のいずれかに記載の多芯筆記具。
【請求項５】
案内部材を軸筒の内壁側から軸筒の中心軸線に向って延伸する板状体からなる案内板とし、前記板状体の軸筒後端側に位置する後端辺が、前記軸筒の内壁側から中心軸線に向って延伸するにしたがって、軸筒先端側に近づくような傾斜辺を有する案内板として構成し、一方、中芯保持部材に前記案内板と摺動しうるように係合する係合孔または係合溝を設け、前記案内板を前記係合孔または前記係合溝に係合させた状態で、ノック操作部を軸筒の先端方向にスライド操作することにより、前記中芯保持部材が前記案内板に案内されて、中芯とともに軸筒の中心軸線の位置に案内され、かつノック操作部が操作前の位置に復帰すると同時に、中芯保持部材に挿着された中芯も操作前の位置に復帰するようにした請求項４記載の多芯筆記具。
【請求項６】
案内部材を軸筒の内壁側から軸筒の中心軸線に向って延伸する板状体からなる案内板とし、前記案内板における板状体の軸筒先端側に位置する前端辺を、軸筒の内壁側から中心軸線に向って延伸するにしたがって、軸筒先端側に近づくような傾斜辺を軸筒の長さ方向に段状にずらした形状となし、かつ前記段状の部分を係止部とした案内板として構成し、一方、中芯保持部材に設けた係合孔または係合溝に、前記係止部を係止しうる被係止部を設け、中芯を軸筒内に収納状態とした場合に、案内板の前記係止部が中芯保持部材の前記被係止部に係止しうるようにした請求項４または５に記載の多芯筆記具。
【請求項７】
案内板がガイドされながら摺動するガイド摺動溝を、中芯保持部材の上面に、後端から前方に向かって、係合孔または係合溝に連続する形態で設けた請求項５または６に記載の中芯保持部材。
【請求項８】
軸筒の外部に突出するノック操作部を、軸筒の壁部に穿設されたスライド溝孔を介して、軸筒内に位置するノック棒と結合し、このノック棒、またはノック操作部と一体に形成されたノック棒と、中芯保持部材とを、前記ノック棒、または前記ノック操作部と一体に形成されたノック棒と、前記中芯保持部材の両者に対して回動可能なリンク材により連結した請求項４〜７のいずれかに記載の多芯筆記具。
【請求項９】
ノック棒の後端と、軸筒の内部後端間に引張ばねを介在させ、ノック操作部の操作により軸筒先端開口部から突出させた中芯を、前記引張ばねの作用により、前記ノック操作部の操作前の位置に復帰させるようにした請求項８記載の多芯筆記具。
【発明の詳細な説明】
【技術分野】
【０００１】
本発明は、複数の中芯を軸筒先端開口部から選択的に出没可能にした多芯筆記具に関する。
【背景技術】
【０００２】
一般に多芯筆記具においては、軸筒の軸線から径方向に離れた位置に複数の中芯が配置されている。このため筆記の際には、選択した中芯が後方から前方に向って軸筒先端開口部が位置する径方向に曲がり、中芯が傾斜した状態で軸筒先端開口部から突出することとなる。その結果、各中芯がそれぞれ異なる方向に傾斜し、選択する中芯により筆記時の方向性が異なり、筆記安定性に欠けるという問題があった。また、軸筒を把持する方向性や、筆記時の軸筒を回転させる動作による方向性によって筆記安定性に欠ける点があった。
【０００３】
特に、ボールペンの場合、中芯が傾斜するため、ボールから紙面に転写されなかったインキがボールペンチップの小口で掻き取られて小口先端近傍の外面に溜まった後に紙面に付着する現象であるボテ泣きや、筆記時にチップ先端が紙面を引っかき、紙面の繊維くず等の異物がボール抱持孔内に混入する現象である紙詰まりや、かすれ等が発生しやすい。また、中芯がＰＰパイプのような柔らかい場合、筆記時に中芯のしなりが生じ、筆記安定感が悪い。さらに、中芯が金属や太い芯のように剛直である場合、たとえばノック棒と中芯の関係をフレキシブルにする必要があるため、ガタツキが生じ、筆記安定性を損なうといった問題がある。これらの問題に対処するため、特許文献１のように、軸筒の向きを変えることで、回転筆記ユニットを軸筒内で回転させて、いずれかの中芯を軸線と一致させた後に突出させる構造や、特許文献２のように、軸筒の向きを変えることで、上部に位置した部分を自重で下方に移動させて、突出させる構造が提案されている。しかし、これらはいずれも中芯の位置合わせが難しく、また中芯をそれぞれユニット化させているため、軸筒が太くなるという問題があった。
【先行技術文献】
【特許文献】
【０００４】
【特許文献１】特開２０１３−０９１２５８号公報
【特許文献２】特開２０１３−０９１２３９号公報
【発明の概要】
【発明が解決しようとする課題】
【０００５】
本発明は、前記の現状に鑑み、中芯の位置合わせを必要とすることなく、筆記時に方向性がなく安定した同一の筆記感が得られるとともに、ボテ泣き、紙詰まり、かすれの発生が改善され、さらに中芯がＰＰパイプのような柔らかい場合でも、筆記時にしなりが生じ難く筆記安定感が良好な多芯筆記具を提供することを課題とする。
【課題を解決するための手段】
【０００６】
本発明によると、前記課題は、次のような手段によって解決される。
【０００７】
（１）中芯を軸筒先端開口部から選択的に出没可能にした多芯筆記具において、選択した中芯を筆記状態に芯出しするための操作に連動して、前記中芯が、軸筒内に設けられた案内部材により軸筒の中心軸線の位置に案内されて、前記中心軸線と実質的に平行になる状態で芯出し状態となるようにしたことを特徴とする多芯筆記具とする。
このような構成とすると、中芯が軸筒の中心軸線と平行になる状態で前記中心軸線の位置に案内されて芯出し状態となるため、中芯が傾斜した状態で芯出しされた場合に生ずる問題が解消される。また、中芯が、筆記状態に芯出しするための操作に連動して案内部材により軸筒の中心軸線の位置に案内されるため、中芯の位置合わせを必要としない。
【０００８】
（２）前記（１）項において、多芯筆記具が、ノック式で芯出し状態とするものであり、各中芯に対応して設けられたノック操作部を軸筒の先端方向にスライド操作することにより、該スライド操作されるノック操作部に対応する中芯が、前記スライド操作に連動して、軸筒内に設けられた案内部材により軸筒の中心軸線の位置に案内されて、前記中心軸線と実質的に平行になる状態で芯出し状態となるようにする。
このような構成とすると、ノック式の多芯筆記具において、中芯が傾斜した状態で芯出しされた場合に生ずる問題が解消される。
【０００９】
（３）前記（２）項において、案内部材を各中芯に対応させて設ける。
このような構成とすると、各中芯が案内部材により、軸筒の中心軸線と平行になる状態で前記中心軸線の位置に案内されて芯出し状態となる。
【００１０】
（４）前記（１）項〜（３）項のいずれかにおいて、中芯を着脱可能に保持する中芯保持部材を設け、前記中芯保持部材が案内部材によって案内されることにより、中芯が軸筒の中心軸線の位置に案内されるようにする。
このような構成とすると、中芯が軸筒の中心軸線と平行になる状態で前記中心軸線の位置に案内されて芯出し状態とすることが容易である。
【００１１】
（５）前記（４）項において、案内部材を軸筒の内壁側から軸筒の中心軸線に向って延伸する板状体からなる案内板とし、前記板状体の軸筒後端側に位置する後端辺が、前記軸筒の内壁側から中心軸線に向って延伸するにしたがって、軸筒先端側に近づくような傾斜辺を有する案内板として構成し、一方、中芯保持部材に前記案内板と摺動しうるように係合する係合孔または係合溝を設け、前記案内板を前記係合孔または前記係合溝に係合させた状態で、ノック操作部を軸筒の先端方向にスライド操作することにより、前記中芯保持部材が前記案内板に案内されて、中芯とともに軸筒の中心軸線の位置に案内され、かつノック操作部が操作前の位置に復帰すると同時に、中芯保持部材に挿着された中芯も操作前の位置に復帰するようにする。
このような構成とすると、案内板を中芯保持部材の係合孔に係合させた状態で、ノック操作部を軸筒の先端方向にスライド操作することにより、中芯保持部材が容易に案内板に案内されて、中芯を軸筒の中心軸線に位置させることができる。
【００１２】
（６）前記（４）項または（５）項において、案内部材を軸筒の内壁側から軸筒の中心軸線に向って延伸する板状体からなる案内板とし、前記案内板における板状体の軸筒先端側に位置する前端辺を、軸筒の内壁側から中心軸線に向って延伸するにしたがって、軸筒先端側に近づくような傾斜辺を軸筒の長さ方向に段状にずらした形状となし、かつ前記段状の部分を係止部とした案内板として構成し、一方、中芯保持部材に設けた係合孔または係合溝に、前記係止部を係止しうる被係止部を設け、中芯を軸筒内に収納状態とした場合に、案内板の前記係止部が中芯保持部材の前記被係止部に係止しうるようにする。
このような構成とすると、案内板の係止部と中芯保持部材の被係止部の係止により、収納状態にある中芯の位置安定性が良好になるとともに、収納状態から芯出し状態に移行する段階における前記係止が解除されるまでの間、前記中芯が傾斜することなく軸筒の長さ方向に移動するため、前記中芯の中芯保持部材と芯出し状態から収納状態に移行する中芯の中芯保持部材との間の干渉を防止することができる。
【００１３】
（７）前記（５）項または（６）項において、案内板がガイドされながら摺動するガイド摺動溝を、中芯保持部材の上面に、後端から前方に向かって、係合孔または係合溝に連続する形態で設ける。
このような構成とすると、案内板が中芯保持部材の上面を前後方向に摺動する際に、左右に振れることなく安定的に摺動することができる。
【００１４】
（８）前記（４）項〜（７）項のいずれかにおいて、軸筒の外部に突出するノック操作部を、軸筒の壁部に穿設されたスライド溝孔を介して、軸筒内に位置するノック棒と結合し、このノック棒、またはノック操作部と一体に形成されたノック棒と、中芯保持部材とを、前記ノック棒、または前記ノック操作部と一体に形成されたノック棒と、前記中芯保持部材の両者に対して回動可能なリンク材により連結する。
このような構成とすると、ノック棒を軸筒の中心軸線側に移動させることなく、中芯保持部材を容易に前記中心軸線に位置させることができる。
【００１５】
（９）前記（８）項において、ノック棒の後端と、軸筒の内部後端間に引張ばねを介在させ、ノック操作部の操作により軸筒先端開口部から突出させた中芯を、前記引張ばねの作用により、前記ノック操作部の操作前の位置に復帰させるようにする。
このような構成とすると、中芯を筆記状態から軸筒内に収納させるために一般に使用されている圧縮ばねが不要となるため、中芯保持部材を軸筒の中心軸線に位置させるための軸筒内の構造設計が容易になる。
【発明の効果】
【００１６】
本発明によれば、中芯の位置合わせを必要とすることなく、筆記時に方向性がなく安定した同一の筆記感が得られるとともに、ボテ泣き、紙詰まり、かすれの発生が改善され、さらに中芯がＰＰパイプのような柔らかい場合でも、筆記時にしなりが生じ難く筆記安定感が良好な多芯筆記具を提供することができる。さらに、中芯が金属や太い芯のように剛直な場合でも、中芯の切り替えが円滑で筆記安定性が良好である。また、中芯先端が、先軸の内壁に当接されることなく案内されるため、先軸の内壁にインキが付着して汚れることがなく、先軸が透明の場合にも外観が不良となるという問題もない。
【図面の簡単な説明】
【００１７】
【図１】本発明の多芯筆記具の実施例を示す分解斜視図である。なお、中芯は１本のみを示し、他は省略してある。
【図２】図１に示す多芯筆記具を組立てたときの中央縦断面図である。（ａ）、（ｂ）、（ｃ）は、それぞれ中芯の収納状態、移動時状態、芯出し状態を示す。
【図３】図２において一点鎖線で示す長方形III内部の部分拡大図である。図２と同じく、（ａ）、（ｂ）、（ｃ）は、それぞれ中芯の収納状態、移動時状態、芯出し状態を示す。
【図４】図２におけるIV〜IV線断面拡大図である。図２と同じく、（ａ）、（ｂ）、（ｃ）は、それぞれ中芯の収納状態、移動時状態、芯出し状態を示す。
【図５】先軸の拡大正面図、右側面図、左側面図、前記拡大正面図におけるA〜A線断面図である。
【図６】中軸の拡大正面図、右側面図、左側面図、前記右側面図におけるB〜B線断面図である。
【図７】後軸の拡大斜視図である。
【図８】スプリングストッパーの拡大正面図、右側面図、左側面図である。
【図９】キャップの拡大斜視図である。
【図１０】（ａ）は、中芯保持部材、リンク材、ノック棒、ノック操作部の拡大斜視図であり、（ｂ）は、ノック操作部以外の中芯保持部材、リンク材、ノック棒を連結した拡大斜視図である。
【図１１】（ａ）は中芯保持部材の拡大斜視図、（ｂ）は中央縦断面図、（ｃ）は前記中央縦断面図におけるC〜C線断面図、（ｄ）は同じく前記中央縦断面図におけるD〜D線断面図である。
【図１２】（ａ）はリンク材の拡大斜視図、（ｂ）は拡大平面図、（ｃ）は拡大底面図である。
【図１３】（ａ）はノック棒の拡大上方斜視図、（ｂ）は拡大下方斜視図である。
【図１４】（ａ）はノック操作部の拡大上方斜視図、（ｂ）は拡大底面図である。
【発明を実施するための形態】
【００１８】
以下、本発明の実施形態を図面に基づいて説明する。
図１は、本発明をノック式ボールペンの多芯筆記具１に適用した場合の分解斜視図を示す。なお、中芯は１本のみを示し、他は省略してある。
軸筒２は、先軸３、中軸４、後軸５、キャップ６より構成される。
これらの先軸３、中軸４、後軸５、キャップ６の部品図は、それぞれ図５、図６、図７、図９に拡大して示す。
軸筒２内には、中芯７、中芯保持部材８、リンク材９、ノック棒１０、引張ばね１１、ばねストッパー１２が、前方から後方に向って順次配設されている。
【００１９】
図１０の（ａ）は、中芯保持部材８、リンク材９、ノック棒１０、ノック操作部１３の拡大斜視図、（ｂ）は、ノック操作部１３以外の前記３者を連結した拡大斜視図である。
中芯保持部材８は、図１１に拡大部品図を示すように、前後方向に長尺な本体８ａの前端に中芯挿着突起８ｂ、後端に、左右に係止突起８ｃを有する係止片８ｄがそれぞれ設けられている。
【００２０】
リンク材９は、図１２の（ａ）に上方斜視図、（ｂ）に平面図、（ｃ）に底面図をそれぞれ拡大して示す。
リンク材９は、前後端が略弧状を有する長方形の左右２枚の板状片９ａを中央で連結した形状を有する。板状片９の前後端近傍には、左右方向に貫通する前方係止孔９ｂ、後方係止孔９ｃが穿設されている。左右２枚の板状片９ａの対向面には、上方から前方係止孔９ａに向けて漸次浅くなる前方溝９ｄ、下方から後方係止孔９ｃに向けて漸次浅くなる後方溝９ｅがそれぞれ設けられている。
【００２１】
中芯保持部材８とリンク材９を連結するには、中芯保持部材８の後端の係止片８ｄをリンク材９の左右の前方溝９ｄ間に上方から貫挿させて、係止突起８ｃを前方係止孔９ｂに係止させればよい。
これにより、中芯保持部材８とリンク材９は、係止突起８ｃを回転軸として相互に回動可能に連結される。
【００２２】
ノック棒１０の拡大した部品図を図１３に示す。（ａ）は上方斜視図、（ｂ）は下方斜視図である。
ノック棒１０は、前後方向に長尺な板状体１０ａの前端に、左右に係止突起１０ｂを有する係止片１０ｃが設けられ、後端に係止孔１０ｄを有するばね係止部１０ｅが設けられている。
板状体１０ａの下面には、芯出し状態の中芯７の停止や解除を行う前方解除片１０ｆ、後方停止解除片１０ｇが設けられている。板状体１０ａの上面には、ノック操作部１３を固定するための前方固定片１０ｈ、後方固定片１０ｉが設けられている。
【００２３】
ノック棒１０とリンク材９を連結するには、ノック棒１０の前端の係止片１０ｃをリンク材９の左右の後方溝９ｅ間に下方から貫挿させて、係止突起１０ｂを後方係止孔９ｃに係止させればよい。これにより、ノック棒１０とリンク材９は、係止突起１０ｂを回転軸として相互に回動可能に連結される。
【００２４】
ノック操作部１３の拡大した部品図を図１４に示す。（ａ）は上方斜視図、（ｂ）は底面図である。ノック操作部１３の前端に嵌合切欠１３ａ、底面に嵌合孔１３ｂが設けられている。ノック操作部１３をノック棒１０に固定するには、軸筒２内に配設されたノック棒１０の前方固定片１０ｈ、後方固定片１０ｉを、軸筒２の外部に配設したノック操作部１３の嵌合切欠１３ａ、嵌合孔１３ｂに、後軸５に設けたスライド溝孔５ａを介して、それぞれ嵌合させればよい。なお、ノック操作部１３は、ノック棒１０と一体に形成されてもよい。
【００２５】
中芯７は、中芯保持部材８の前端に設けられた中芯装着突起８に中芯７の後端を着脱可能に装着することにより、中芯保持部材８に保持される。中芯７は、中軸４内に装着された中芯ガイド１４によって、他の中芯と干渉しないようにガイドされる。
図１における中芯ガイド１４は、中芯７が３本の場合を示し、３個のガイド溝１４ａが設けられている。
【００２６】
本発明は、中芯７を軸筒２の先端開口部３ａから選択的に出没可能にした多芯筆記具１において、選択した中芯７を筆記状態に芯出しするための操作に連動して、前記中芯７が、軸筒２内に設けられた案内部材により軸筒２の中心軸線の位置に案内されて、前記中心軸線と実質的に平行になる状態で芯出し状態となるようにしたことが特徴である。
本発明において、前記の「軸筒２の中心軸線の位置に案内されて、前記中心軸線と実質的に平行になる状態で芯出し状態となる」とは、中芯７が軸筒２の中心軸線との傾斜角度が５度以内程度、好ましくは３度以内、更に好ましくは１．０度以内で、軸筒２の中心軸線の位置に実質的に案内されて芯出し状態となることを意味する。
【００２７】
以下、中芯７の案内機構について説明する。
図６に中軸４の拡大した正面図、右側面図、左側面図、前記右側面図におけるＢ〜Ｂ線断面図を示す。
中軸４の内壁４ａには、案内部材を中軸４の内壁側から中軸４の中心軸線に向って延伸する板状体からなる案内板４ｂとし、前記板状体の中軸後端側に位置する後端辺４ｃが、前記中軸４の内壁側から中心軸線に向って延伸するにしたがって、軸筒先端側に近づくような傾斜辺を有するとともに、案内板４ｂにおける板状体の軸筒先端側に位置する前端辺４ｄを、中軸４の内壁側から中心軸線に向って延伸するにしたがって、軸筒先端側に近づくような傾斜辺を中軸４の長さ方向に段状にずらした形状となし、かつ前記段状の部分を係止部４ｅとした案内板４ｂとして構成し、内壁４ａに一体的に設けられている。案内板４ｂは各中芯７に対応して設けられ、本実施形態では、３本の中芯７に対応して内壁４ａから中軸４の中心軸線に向かう３枚の案内板４ｂが内壁円周回りに等間隔で設けられている。
【００２８】
一方、中芯保持部材８には、図１１に示すように、前記案内板４ｂがガイドされながら摺動するガイド摺動溝８ｅと、前記案内板４ｂと摺動しうるように係合する係合孔８ｆが設けられている。すなわち、前記ガイド摺動溝８ｅは、中芯保持部材８における本体８ａの上面に後端から前方に向かって設けられ、前記ガイド摺動溝８ｅの前部にこのガイド摺動溝８ｅと連続して、本体８ａを上下方向に貫通する係合孔８ｆが設けられている。前記係合孔８ｆの後部内壁８ｇは、案内板４ｂの後端辺４ｃに対応する傾斜をなすとともに、前部内壁８ｈは、案内板４ｂの前端辺４ｄに対応する段状の傾斜を有し、段状の部分は被係止部８ｉとなっている。
【００２９】
図２は、図１に分解斜視図として示す多芯筆記具１を組立てたときの中央縦断面図である。（ａ）、（ｂ）、（ｃ）は、それぞれ中芯７の収納状態、移動時状態、芯出し状態を示す。
図３は、図２において一点鎖線で示す長方形III内部の部分拡大図である。図４は、図２におけるIV〜IV線断面拡大図である。図３、図４において、（ａ）、（ｂ）、（ｃ）は、図２と同じく、それぞれ中芯７の収納状態、移動時状態、芯出し状態を示す。
【００３０】
図３に示すように、後軸５の後端に前端が内挿されたばねストッパー１２の後端には、キャップ６が被嵌されている。図８に拡大した部品図を示すばねストッパー１２には、ばね係止孔１２ａが設けられている。引張ばね１２は、その後端が前記ばね係止孔１２ａに係止され、前端がノック棒１０におけるばね係止部１０ｅの係止孔１０ｄに係止されている。
図３における（ａ）に示す中芯７の収納状態では、案内板４ｂと中芯保持部材８の係合孔８ｆとは係合した状態となっている。この係合状態においては、案内板４ｂの係止部４ｅが中芯保持部材８の被係止部８ｉに係止されており、収納状態にある中芯の位置安定性が良好である。
【００３１】
次にノック操作部１３を軸筒２の先端方向にスライド操作して中芯７を芯出し状態とする場合、（ｂ）に示すように、中芯保持部材８は、ノック棒１０、リンク材９を介して前方に押される。中芯保持部材８の前方への移動にともない、案内板４ｂの係止部４ｅと中芯保持部材８の被係止部８ｉの係止は解除されるが、この解除されるまでは中芯７は中芯保持部材８とともに、傾斜することなく軸筒２の長さ方向に移動するため、前記中芯７の中芯保持部材８と芯出し状態から収納状態に移行する中芯の中芯保持部材との間の干渉が防止される。
前記係止が解除された後は、中芯保持部材８は、その前方への移動にともなって、案内板４ｂの後端辺４ｃと、中芯保持部材８における係合孔８ｆの後部内壁８ｇとの摺動により、漸次、軸筒２の中心軸線の位置に案内される。
【００３２】
（ｃ）に示す中芯７の芯出し状態においては、案内板４ｂと係合孔８ｆとの係合は解かれて、案内板４ｂは中芯保持部材８のガイド摺動溝８ｅ上に位置し、中芯７は軸筒２の中心軸線の位置に案内されて、前記中心軸線と実質的に平行になる状態で芯出し状態となる。この芯出し状態においては、従来一般のノック式多芯筆記具と同様に、図１３に示すノック棒１０の後方停止解除片１０ｇが係止されて芯出し状態の中芯７の位置が保持される。また、図５に示す先軸３の内面における先端開口部３aの近傍に設けた縦リブは、筆記時における中芯７のしなりを防止する機能を有する。
また、芯出し状態にある中芯７を収納状態の位置に復帰させる場合には、通常の場合と同様に他の中芯のノック操作部を少し前方にスライド操作することにより、当該中芯のノック棒１０の前方解除片１０ｆが、芯出し状態にある中芯７のノック棒１０の後方停止解除片１０ｇに当接して係止が解除される。この解除によって、芯出し状態にあった中芯７は、引張ばね１１の作用により、収納状態の位置に復帰する。
【００３３】
本発明は、前記実施形態に限定されるものではない。たとえば、中芯保持部材８における係合孔８ｆに代えて、係合溝を設けてもよい。また、ボールペンの外に、シャープペンやスタイラスペン等にも適用できる。さらに、本発明は回転繰出式の多芯筆記具にも適用することができる。
【符号の説明】
【００３４】
１    多芯筆記具
２    軸筒
３    先軸
３a   先端開口部
４    中軸  
４ａ  内壁
４ｂ  案内板
４c   後端辺
４d   前端辺
４e   係止部
５    後軸
5a    スライド溝孔
６    キャップ
７    中芯
８    中芯保持部材
８ａ  本体
８ｂ  中芯挿着突起
８ｃ  係止突起
８ｄ  係止片
８ｅ  ガイド摺動溝
８ｆ  係合孔
８ｇ  後部内壁
８ｈ  前部内壁
８ｉ  被係止部
９    リンク材
９ａ  板状片
９ｂ  前方係止孔
９ｃ  後方係止孔
９ｄ  前方溝
９ｅ  後方溝
１０    ノック棒
１０ａ  板状体
１０ｂ  係止突起
１０ｃ  係止片
１０ｄ  係止孔
１０ｅ  ばね係止部
１０ｆ  前方解除片
１０ｇ  後方停止解除片
１０ｈ  前方固定片
１０ｉ  後方固定片
１１    引張ばね
１２    ばねストッパー
１２a   ばね係止孔
１３    ノック操作部
１３ａ  嵌合切欠
１３ｂ  嵌合孔
【図１】
0006341841.tif 000002
【図２】
0006341841.tif 000003
【図３】
0006341841.tif 000004
【図４】
0006341841.tif 000005
【図５】
0006341841.tif 000006
【図６】
0006341841.tif 000007
【図７】
0006341841.tif 000008
【図８】
0006341841.tif 000009
【図９】
0006341841.tif 000010
【図１０】
0006341841.tif 000011
【図１１】
0006341841.tif 000012
【図１２】
0006341841.tif 000013
【図１３】
0006341841.tif 000014
【図１４】
0006341841.tif 000015